(57)【要約】      （修正有）【課題】効率をより向上させ，メダカがアクセスしやすい産卵床を提供する。【解決手段】産卵床１は，複数の多孔質長方形状部材２を備え，複数の多孔質長方形状部材２の一端部６ａがほぼ揃った状態で固定されて構成されている。そして，当該産卵床１においては，多孔質長方形状部材２の長さが，中心から外縁に向かうにつれて短くなっている。多孔質長方形状部材２としては，スポンジ部材が用いられている。また，複数の多孔質長方形状部材２の一端部６ａの固定は，中央部に円孔の開いた円盤状のスポンジ部材（固定部材３）を用いて行われている。【選択図】図１
2019129753.tif 000002
【特許請求の範囲】
【請求項１】
複数の多孔質長方形状部材を備え，前記複数の多孔質長方形状部材の一端部がほぼ揃った状態で固定されて構成される産卵床であって，
前記多孔質長方形状部材の長さが，中心から外縁に向かうにつれて短くなっていることを特徴とする産卵床。
【請求項２】
前記産卵床が，
切れ目が入れられた台形状部材と，
前記台形状部材を巻いた状態で，その一端部を固定する固定部材と，
を備える請求項１に記載の産卵床。
【請求項３】
前記多孔質長方形状部材を，５個から１５個備える請求項１又は２に記載の産卵床。
【請求項４】
複数の多孔質長方形状部材を備え，前記複数の多孔質長方形状部材の一端部がほぼ揃った状態で固定されて構成される産卵床を構成するための産卵床部材セットであって，
切れ目が入れられた台形状部材と，
前記台形状部材を巻いた状態で，その一端部を固定する固定部材と，
を含む産卵床部材セット。
【請求項５】
前記産卵床に付着した卵の腐食を防止するための腐食防止液をさらに含む請求項４に記載の産卵床部材セット。
【請求項６】
前記腐食防止液が，納豆菌を含む溶液である請求項５に記載の産卵床部材セット。
【発明の詳細な説明】
【技術分野】
【０００１】
本発明は，水槽内に設置して用いられるメダカ用産卵床に関する。
【背景技術】
【０００２】
観賞用に水槽で飼育される魚として，メダカが挙げられる。メダカは，比較的，扱いが容易であり，また，産卵・孵化によって繁殖が可能な点からも，人気のある魚である。
メダカは温かい時期に産卵を行い，産卵の際には，水草などに卵を産み付ける性質がある。そのため，水槽内において産卵を行わせる場合には，水草や，これの代わりとなる産卵床と称される部材（特許文献１および２，非特許文献１および２）を用いて，産卵を行う場を設けることが必要となる。
【先行技術文献】
【特許文献】
【０００３】
【特許文献１】特開２０１０−０８１８１７号公報
【特許文献２】特開２０１５−０５０９８９号公報
【非特許文献】
【０００４】
【非特許文献１】メダカ用産卵床製品ページ（ジェックス社製），URL：https://www.amazon.co.jp/%E3%82%B8%E3%82%A7%E3%83%83%E3%82%AF%E3%82%B9-%E3%83%A1%E3%83%80%E3%82%AB%E5%85%83%E6%B0%97-%E5%8D%B5%E3%81%AE%E3%81%8A%E5%AE%88%E3%82%8A%E7%94%A3%E5%8D%B5%E5%BA%8A-%E9%9D%92/dp/B06XWCCBJ2
【非特許文献２】メダカ用産卵床製品ページ（ノーブランド品），URL：https://www.amazon.co.jp/%E3%83%A1%E3%83%80%E3%82%AB%E7%94%A3%E5%8D%B5%E5%BA%8A-%E3%82%A6%E3%83%9F%E3%82%A6%E3%83%9F-%E3%83%A1%E3%83%80%E3%82%AB-M%E3%82%B5%E3%82%A4%E3%82%BA-12cm-3%E5%80%8B%E3%82%BB%E3%83%83%E3%83%88-%E3%83%8F%E3%83%B3%E3%83%89%E3%83%A1%E3%82%A4%E3%83%89-%E3%83%A1%E3%83%80%E3%82%AB%E7%94%A3%E5%8D%B5%E8%8D%89/dp/B0732RT478/ref=pd_lpo_vtph_199_lp_t_3?_encoding=UTF8&psc=1&refRID=1B5C40B93W20S11NKVPB
【発明の概要】
【発明が解決しようとする課題】
【０００５】
特許文献１および２に記載の技術（以下，「先行特許技術」という）は，水槽内底部において産卵床を設けることが可能である点において有用である。
しかるに，水槽内において産卵を完了した産卵床をそのまま放置すると，メダカ自身が卵を食べてしまうことから，産卵床そのものを別の水槽に移すことが必要である。このことを考慮すると，先行特許技術に記載の産卵床は，水槽内底部から移動させなければならない点において取扱性を損なうものであり，また，部材としても比較的大掛かりであり，経済性に優れない点においても，課題を有するものである。
【０００６】
これに対し，非特許文献１および２に記載の技術（以下，「先行非特許技術」という）には，水根を模した形状の部材（以下，「水根状部材」という）に関する技術が開示されている。かかる技術は，素材自体が可塑性素材からなり，水に浮遊しうる点において，先行特許技術と比較して利点を有するものである。
しかるに，かかる先行非特許技術も課題を有することを発明者は発見した。すなわち，先行非特許技術では，水根状部材が同程度の長さを有するとともに，これらが密に集まっていた。そして，これが要因となって，水根状部材の外側にメダカの排卵が集中しがちであり，中心部へメダカがアクセスできず，産卵床として十分に機能していなかった。
これは，先行非特許技術における産卵床の製造方法に起因するものと考えられる。すなわち，図７（ｂ）に示すように，先行非特許技術に記載の産卵床８は，長方形状のスポンジ部材９に一端部９ａを除いて縦に切れ目９ｂを均等に入れ，これを巻いて，一端部９ａを固定することにより，作製される。このように長方形状のスポンジ部材９を用いていることから，結果として，水根状部材１０の長さが揃ってしまうものである。
【０００７】
上記事情を背景として，本発明では，効率をより向上させ，メダカがアクセスしやすい産卵床の開発を課題とする。
【課題を解決するための手段】
【０００８】
発明者は，鋭意研究の結果，水根状部材に長さをばらけさせることにより，メダカが中心部にもアクセスしやすいことに着想し，発明を完成させたものである。
すなわち，発明者は，従来技術と異なり，長方形状のスポンジ部材ではなく，台形状のスポンジ部材を用いて作製することにより，これを達成しうることに着想し，発明を完成させたものである。
【０００９】
本発明は，以下の構成からなる。
本発明の第一の構成は，複数の多孔質長方形状部材を備え，前記複数の多孔質長方形状部材の一端部がほぼ揃った状態で固定されて構成される産卵床であって，前記多孔質長方形状部材の長さが，中心から外縁に向かうにつれて短くなっていることを特徴とする産卵床である。
【００１０】
本発明の第二の構成は，前記産卵床が，切れ目が入れられた台形状部材と，前記台形状部材を巻いた状態で，その一端部を固定する固定部材と，を備える第一の構成に記載の産卵床である。
本発明の第三の構成は，前記多孔質長方形状部材を，５個から１５個備える第一又は第二の構成に記載の産卵床である。
【００１１】
本発明の第四の構成は，複数の多孔質長方形状部材を備え，前記複数の多孔質長方形状部材の一端部がほぼ揃った状態で固定されて構成される産卵床を構成するための産卵床部材セットであって，切れ目が入れられた台形状部材と，前記台形状部材を巻いた状態で，その一端部を固定する固定部材と，
を含む産卵床部材セットである。
【００１２】
本発明の第五の構成は，前記産卵床に付着した卵の腐食を防止するための腐食防止液をさらに含む第四の構成に記載の産卵床部材セットである。
本発明の第六の構成は，前記腐食防止液が，納豆菌を含む溶液である第五の構成に記載の産卵床部材セットである。
【発明の効果】
【００１３】
本発明により，効率をより向上させ，メダカがアクセスしやすい産卵床の提供が可能となった。
【図面の簡単な説明】
【００１４】
【図１】本発明の一実施の形態における産卵床の構成を示す側面図
【図２】本発明の一実施の形態における産卵床の使用状態を示す斜視図
【図３】本発明の一実施の形態における産卵床の構成部材である台形状部材の構成を示す側面図
【図４】本発明の一実施の形態における産卵床の構成部材である固定部材の構成を示す平面図
【図５】本発明の一実施の形態における産卵床の構成部材である台形状部材を巻いている状態を示す斜視図
【図６】本発明の一実施の形態における産卵床の構成部材である，巻いた状態の台形状部材の一端部を，同じく構成部材である固定部材の円孔に嵌挿している状態を示す斜視図
【図７】本発明の一実施の形態における産卵床と従来技術における産卵床の製造方法の違いを説明するための図
【図８】本発明の一実施の形態における産卵床の多孔質長方形状部材に腐食防止液を塗布している状態を示す斜視図
【発明を実施するための形態】
【００１５】
以下，好適な実施の形態を用いて本発明をさらに具体的に説明する。但し，下記の実施の形態は本発明を具現化した例に過ぎず，本発明はこれに限定されるものではない。
【００１６】
＜＜I．産卵床の概要＞＞
本発明の産卵床について説明する。
【００１７】
本発明の産卵床は，複数の多孔質長方形状部材を備え，前記複数の多孔質長方形状部材の一端部がほぼ揃った状態で固定されて構成される産卵床であって，前記多孔質長方形状部材の長さが，中心から外縁に向かうにつれて短くなっていることを特徴とする。かかる産卵床は，典型的には，台形状部材と固定部材とにより構成される。
【００１８】
台形状部材は，スポンジなどの多孔質素材からなるとともに，図３に例示されるように切れ目が入れられており，かかる切れ目により，多孔質長方形状部材が形成されるものである。台形状部材は，かかる形状ないし切れ目を有する限り，特に限定されるものではなく，種々の構成のものを採用することができる。
台形状部材の大きさについては，想定される水槽の大きさなどを考慮して種々の大きさとすることができるが，典型的には，平行な２本の対辺（上底および下底）がそれぞれ５ｃｍと８ｃｍ，これらに直角に接する脚の一辺が８ｃｍ，斜めに接する脚の一辺が９ｃｍ程度の大きさとして設定することができる。この場合，切れ目については，斜めに接する脚の一辺から上底および下底に平行に入れればよい。
【００１９】
固定部材は，この台形状部材を巻いた状態で，その一端部を固定する役割を果たす。固定部材は，かかる役割を果たす限り，特に限定されるものではなく，種々の形状ないし構成のものを採用することができる。
固定部材は，典型的には，図４に示されるような中央部に円孔の開いた円盤状の部材とすることができる。固定部材としては，その他，紐やゴムなどを用いてもよい。
【００２０】
本発明の産卵床においては，多孔質長方形状部材を，５個から１５個，より好ましくは７個から１３個，最も好ましくは７個から９個備えることが好ましい。これらの好ましい構成によれば，中心から外縁に沿って広がるように産卵床を構成することができ，本発明の性能を向上させることができるという効果が得られる。
【００２１】
本発明においては，台形状部材と固定部材を含む産卵床部材セットとして構成することが好ましい。かかる好ましい構成によれば，産卵床部材の，商品としての提供が容易となり，産卵床部材セットとして取扱性を向上させることができるという効果が得られる。
産卵床部材セットにおいては，腐食防止液をさらに含むことが好ましい。かかる好ましい構成によれば，産卵床に付着した卵の腐食を防止することが可能となり，本発明の性能を向上させることができるという効果が得られる。
腐食防止液は，卵の腐食を防止することが可能である限り，特に限定されるものではなく，種々の溶液を用いることができる。最も好ましくは，納豆菌を含む溶液を用いることができる。かかる最も好ましい構成によれば，効果的でかつ安価な卵の腐食防止が可能となり，本発明の性能ならびに経済性を向上させることができるという効果が得られる。
【００２２】
＜＜II．実施の形態＞＞
（産卵床の構成）
まず，本発明の一実施の形態における産卵床の構成について，図１，図２を参照しながら説明する。
【００２３】
図１は，本発明の一実施の形態における産卵床の構成を示す側面図，図２は，当該産卵床の使用状態を示す斜視図である。
【００２４】
図１，図２に示すように，本実施の形態の産卵床１は，複数の多孔質長方形状部材２を備え，複数の多孔質長方形状部材２の一端部６ａがほぼ揃った状態で固定されて構成されている。そして，本実施の形態の産卵床１においては，多孔質長方形状部材２の長さが，中心から外縁に向かうにつれて短くなっている。
ここで，多孔質長方形状部材２としては，スポンジ部材が用いられている。また，複数の多孔質長方形状部材２の一端部６ａの固定は，中央部に円孔３ａの開いた円盤状のスポンジ部材（固定部材３）（図４を参照）を用いて行われている。
【００２５】
図２に示すように，本実施の形態の産卵床１は，円盤状のスポンジ部材（固定部材３）が水面５に浮いた状態（複数の多孔質長方形状部材２が水中に存する状態）で水槽４内に設置される。すなわち，本実施の形態の産卵床１は，水に浮遊した状態で使用される。
そして，この場合，多孔質長方形状部材２に長さをばらけさせることにより，メダカが産卵床１の中心部にもアクセスしやすくなっている。
水槽４内において産卵を完了した産卵床１をそのまま放置すると，メダカ自身が卵を食べてしまうことから，産卵床１そのものは別の水槽に移される。上記のように，産卵床１は，水に浮遊した状態となっており，移動が容易である点で，取扱性が向上したものとなっている。
【００２６】
本実施の形態の産卵床１の構成によれば，上記のようにメダカが中心部にもアクセスしやすい構造となっているので，産卵床として十分に機能させることが可能となる。
【００２７】
（産卵床の製造方法）
次に，本実施の形態における産卵床１の製造方法について，図３から図８をも参照しながら説明する。
【００２８】
図３は，本発明の一実施の形態における産卵床の構成部材である台形状部材の構成を示す側面図，図４は，当該産卵床の構成部材である固定部材の構成を示す平面図，図５は，当該産卵床の構成部材である台形状部材を巻いている状態を示す斜視図，図６は，当該産卵床の構成部材である，巻いた状態の台形状部材の一端部を，同じく構成部材である固定部材の円孔に嵌挿している状態を示す斜視図，図７は，当該産卵床と従来技術における産卵床の製造方法の違いを説明するための図，図８は，当該産卵床の多孔質長方形状部材に腐食防止液を塗布している状態を示す斜視図である。
【００２９】
図３，図４に示すように，本実施の形態の産卵床１は，切れ目６ｂが入れられた台形状部材６と，台形状部材６を巻いた状態で，その一端部６ａを固定する固定部材３と，を備えている。
図３に示すように，台形状部材６は，スポンジ部材からなり，その大きさは，平行な２本の対辺（上底および下底）がそれぞれ５ｃｍと８ｃｍ，これらに直角に接する脚の一辺が８ｃｍ，斜めに接する脚の一辺が９ｃｍ程度に設定されている。切れ目６ａは，直角に接する脚側（一端部６ａ）を除いて，斜めに接する脚の一辺から上底および下底に平行に均等に７本入れられている。そして，これにより，多孔質長方形状部材２が８個形成されている。
図４に示すように，固定部材３は，中央部に円孔３ａの開いた円盤状のスポンジ部材からなっている。
【００３０】
まず，図５に示すように，台形状部材６の一端部６ａを，切れ目６ｂと直交する方向に巻いていく。これにより，各多孔質長方形状部材２が切れ目６ｂで切り離されるとともに，多孔質長方形状部材２の長さが，中心から外縁に向かうにつれて短くなった状態となる（図１，図７（ａ）を参照）。
次いで，図６に示すように，巻いた状態の台形状部材６の一端部６ａを，固定部材３の円孔３ａに嵌挿する。これにより，複数の多孔質長方形状部材２の一端部６ａが揃った状態で固定された産卵床１が完成する（図１を参照）。
最後に，図８に示すように，産卵床１の複数の多孔質長方形状部材２のそれぞれに，納豆菌を含む溶液である腐食防止液７を塗布する。
【００３１】
以上のようにして製造された産卵床１は，円盤状のスポンジ部材（固定部材３）が水面５に浮いた状態（複数の多孔質長方形状部材２が水中に存する状態）で水槽４内に設置され（図２を参照），主としてメダカの産卵に供される。
【符号の説明】
【００３２】
１  産卵床
２  多孔質長方形状部材
３  固定部材
３ａ  円孔
６  台形状部材
６ａ  一端部
６ｂ  切れ目
７  腐食防止液
【図１】
2019129753.tif 000003
【図２】
2019129753.tif 000004
【図３】
2019129753.tif 000005
【図４】
2019129753.tif 000006
【図５】
2019129753.tif 000007
【図６】
2019129753.tif 000008
【図７】
2019129753.tif 000009
【図８】
2019129753.tif 000010